(57)【特許請求の範囲】
【請求項１】
軸方向に沿って連結される駆動源およびファンと、
これら駆動源とファンが配置される通気孔を有する本体と、
この本体の、上記通気孔を挟んだ両側に一端側が設けられる一対のパネル開閉機構と、
これらパネル開閉機構の他端側相互間に亘って取付けられ、パネル開閉機構の作用にともなって上記本体の全周縁に完全密着もしくは離間して、上記通気孔を開閉するパネルとを備えた換気装置において、
上記パネル開閉機構は、
互いに回動可能に交差して設けられる第１のリンク部材および第２のリンク部材と、
上記第１のリンク部材と上記第２のリンク部材との端部相互間に亘って張設され、各リンク部材を介してパネルを通気孔から開放する方向に弾性的に付勢する弾性部材と、
上記本体に設けられ、上記第１のリンク部材の一端部を回動可能に支持する第１の回動部と、
上記パネルに設けられ、第１のリンク部材の他端部を本体の軸方向とは直交する方向に移動可能に支持する第１の支持部と、
上記本体に設けられ、上記第２のリンク部材の一端部を本体の軸方向とは直交する方向に移動可能に支持する第２の支持部と、
上記パネルに設けられ、上記第２のリンク部材の他端部を回動可能に支持する第２の回動部とを具備することで、パネルを本体の取付け面とは垂直方向に移動させる
ことを特徴とする換気装置。
【請求項２】
さらに、上記パネル開閉機構は、
上記本体の両側部下端に設けられる操作用押し釦および、この操作用押し釦と一体に連設され、操作用押し釦とともに本体下端面から突出するよう弾性的に付勢される第１の係止部と、
上記パネルに設けられ、上記第１の係止部と係脱自在であって、第１の係止部と係合することにより弾性部材の弾性力に抗してパネルの通気孔閉成状態を保持し、上記操作用押し釦を押圧操作することにより第１の係止部との係合が解かれ、弾性部材の弾性力を第１のリンク部材と第２のリンク部材に作用させてパネルの通気孔開放をなす第２の係止部とを有することを特徴とする請求項１記載の換気装置。
【発明の詳細な説明】
【技術分野】
【０００１】
本発明は、換気動作中は通気孔を開放し、換気動作の停止中は通気孔を閉成するパネルを備えた換気装置に関する。
【背景技術】
【０００２】
本出願人が出願した［特許文献１］には、ファンあるいはそのファンに対向し、取付け面に対し垂直方向に進退して通気開口を開閉する開閉板を備えた換気扇が開示されている。上記開閉板を駆動する開閉機構は、ファンおよびモータの少なくとも一方を囲うように配置されたケーシングと開閉板の周辺部に設けられることを主な特徴としている。  
また、［特許文献２］には、室壁に設けられたパイプ内部に、電動機と羽根を設けた筒部を装着し、この筒部の羽根側端部の外周にパイプ外形より外側へ延設したフランジ部を設ける。このフランジ部を覆い、室壁と接離自在な化粧カバーを備え、湿度センサからの信号で化粧カバーを自動的に開閉するパイプ用ファンが開示されている。
【特許文献１】特開２００４−２７８８４８号公報
【特許文献２】特開平  ５−３４０５８３号公報
【発明の開示】
【発明が解決しようとする課題】
【０００３】
しかしながら、上記［特許文献１］によると、通気開口を開閉する開閉板と本体とを連結する開閉機構の全長は、開閉板を開閉する量以上の長さが必要となっている。そして、本体側に開閉機構を収納するためのスペースも必要となるところから、製品が大型化してしまう不具合があった。  
上記［特許文献２］によると、化粧パネルを開くときはソレノイドに通電し、化粧パネルを閉じるときはソレノイドを断電する。すなわち、化粧パネルを開閉駆動するためにソレノイドが必要であり、部品費がかかり高価となるとともに、化粧パネルの開放中はソレノイドに継続して通電しなければならないので、ランニングコストが嵩んでしまう。
【０００４】
本発明は上記事情に着目してなされたものであり、その目的とするところは、通気孔開閉用のパネルを駆動するパネル開閉機構のコンパクト化を図り、装置の小型化と、価格およびランニングコストの低減化を得られる換気装置を提供しようとするものである。
【課題を解決するための手段】
【０００５】
上記目的を達成するため本発明は、本体の通気孔に軸方向に沿って連結する駆動源とファンを配置し、この通気孔を挟んだ両側に一対のパネル開閉機構の一端側を設け、これらパネル開閉機構の他端側相互間に亘って、パネル開閉機構の作用にともなって本体の全周縁に完全密着もしくは離間して通気孔を開閉するパネルを取付けた換気装置において、
上記パネル開閉機構は、第１のリンク部材および第２のリンク部材を互いに回動可能に交差して設け、第１のリンク部材と第２のリンク部材との端部相互間に亘って弾性部材を張設し、各リンク部材を介してパネルを通気孔から開放する方向に弾性的に付勢し、
上記本体に第１のリンク部材の一端部を回動可能に支持する第１の回動部を設け、上記パネルに第１のリンク部材の他端部を本体の軸方向とは直交する方向に移動可能に支持する第１の支持部を設け、上記本体に第２のリンク部材の一端部を本体の軸方向とは直交する方向に移動可能に支持する第２の支持部を設け、上記パネルに第２のリンク部材の他端部を回動可能に支持する第２の回動部を設けて、パネルを本体の取付け面とは垂直方向に移動させる。
【発明の効果】
【０００６】
本発明によれば、パネル開閉機構のコンパクト化を図り、装置の小型化と、価格およびランニングコストの低減化を得られる等の効果を奏する。
【発明を実施するための最良の形態】
【０００７】
以下、図面を参照しながら、本発明の実施の形態について詳細に説明する。  
図１は換気装置の斜視図であり、図２は換気装置の一部を切欠して示す斜視図である。換気装置は、軸流のファン１と、このファン１と軸方向に沿って連結される駆動源であるモータ２と、これらファン１とモータ２とが配置される通気孔３を備えた本体４と、この本体４に一対のパネル開閉機構５を介して取付けられるパネル６とから構成される。  
上記本体４は、前面に上記通気孔３を備えた矩形状の前面カバー部４Ａ１と、この前面カバー部４Ａ１の周縁に沿って、前面カバー部４Ａ１面とは直角方向に一体に折曲形成される枠状の側片部４Ａ２とからなるカバー４Ａで覆われている。換気装置を設置した状態では、このカバー４Ａが室内側に露出する。上記前面カバー部４Ａ１は、周縁に沿い上記パネル６の板厚相当分の幅を残して全体的に前面側へ突出していて、カバー４Ａの周縁に沿って凹陥状の段部７が形成される。
【０００８】
このようなカバー４Ａのほとんど大部分の面積を占めて、上記通気孔３が設けられている。この通気孔３は前面カバー部４Ａ１面から後端側へ突出し、かつ後端側に漸次縮径されたテーパー状をなす片部８で囲まれる空間部である。通気孔３の内側に上記ファン１が位置し、上記モータ２は本体４に一体に設けられる支持部材９を介して、側片部４Ｂの後端縁から後方へ突出するよう支持固定される。  
なお、上記モータ２のファン１連結側の端面は、特に図示していないが基部から先端に向かって縮径する略凹状の整流ガイドが設けられていて、ファン１の回転にともなう風の流れを整流して送風騒音の低下を図るとともに、モータ２に空気流を当ててモータを効果的に冷却できるようになっている。  
つぎに、パネル開閉機構５について詳述する。図１ではパネル開閉機構５の一部が露出しており、図２ではパネル開閉機構５を説明するために換気装置を断面にしている。いずれもパネル開閉機構５が作用して、パネル６が本体４のカバー４Ａから離間し通気孔３が開放される状態を示している。そして、パネル開閉機構５の作用を規制すれば、パネル６がカバー４Ａに密着して通気孔３を閉成することになる。
【０００９】
図３はパネル開閉機構５を分解して示す斜視図である。  
上記パネル開閉機構５は、互いに回動可能に交差して設けられる第１のリンク部材１１および第２のリンク部材１２と、上記本体４に設けられる第１の回動部１３および第２の支持部１４と、上記パネル６に設けられる第１の支持部１５および第２の回動部１６と、第１のリンク部材１１と第２のリンク部材１２との端部相互間に亘って張設される弾性部材である引張りばね１７とから構成される。  
なお説明すれば、上記第１のリンク部材１１と第２のリンク部材１２は、互いの略中心部が回動自在な枢支部ａとなっていて、略Ｘ字状に交差している。各リンク部材１１，１２は、枢支部ａ周辺に対して両端部の角度が相違して形成されていて、パネル６を閉じた状態では、全長に亘って直状としたものに比べて各リンク部材１１，１２の上端部相互と下端部相互を近接させることができるので、パネル開閉機構５の上記ファン１とモータ２が連結される軸方向を短くすることができる。
【００１０】
上記第１のリンク部材１１の一端部（下端側）には掛止用孔部２０が設けられ、他端部（上端側）には掛止用ピン２１が突設される。第２のリンク部材１２は一端部（上端側）および他端部（下端側）ともに掛止用ピン２２，２３が突設される。  
第１のリンク部材１１および第２のリンク部材１２のそれぞれ一端部側縁に、小孔を備えた小片部ｂが一体に設けられる。これら小片部ｂの孔部相互に上記引張りばね１７の端部が掛止され、第１、第２のリンク部材１１，１２の一端部相互を互いに接近する方向に引張るよう弾性力を付勢している。第１、第２のリンク部材１１，１２はＸ字状に交差しているので、これらの他端部相互もまた、互いに接近する方向に引張り付勢される。
【００１１】
一方、上記本体４を構成するカバー４Ａの左右両側端部には、上下方向に長く、左右方向に極く狭い幅寸法の切欠開口部２４が設けられている。なお説明すると、それぞれの切欠開口部２４はカバー４Ａの側端縁に沿うとともに、上記側片部４Ａ２の内面側に沿って開口する。  
上記切欠開口部２４の上端縁と下端縁に対向する側片部４Ａ２の内面に一体にガイド片２５（図３では一方のみ図示、図２では両方図示）が設けられる。それぞれのガイド片２５は側片部４Ａ２の前端から後端側へ水平に延出され、互いに平行である。  
上記切欠開口部２４とガイド片２５に対して支持ケース２６が挿脱自在に装着される。すなわち、支持ケース２６は切欠開口部２４の幅寸法と上下寸法および、ガイド片２５の奥行き（水平方向）寸法と同一に形成され、よって切欠開口部２４とガイド片２５に嵌り込んでいる。
【００１２】
そして、支持ケース２６は挿入先側の側端部が図示しないヒンジ構造となっていて、一対の板部２６ａ，２６ｂを二つ折れ状態に組合せることができ、挿入手前側が開閉自在となっている。支持ケース２６を構成する一方の板部２６ａの内面には、下部側に掛止ピンである上記第１の回動部１３が設けられ、上部側に縦長孔状の枠部をなす上記第２の支持部１４が一体に設けられる。上記第２の支持部１４を形成する縦長孔は、上記ファン１とモータ２が連結される軸方向とは直交する方向に長く形成される。  
これら第１の回動部１３と第２の支持部１４を備えた板部２６ａに対して、ヒンジ構造を介して連結される板部２６ｂを重ね合わせると、第１の回動部１３先端に板部２６ｂの内面が当接するが、第２の支持部１４の突出端面とは板部２６ｂ内面と所定の間隙を存している。この状態で支持ケース２６の開閉側端縁に沿って所定の間隙が形成される。
【００１３】
一方、上記パネル６は、上記本体４のカバー４Ａと同一形状面積に形成されていて、周縁に沿って後方へ一体に折曲形成される掛合片部６ａを備えている。すなわち、パネル６が後述するパネル開閉機構５によって通気孔３を閉成するとき、パネル６の掛合片部６ａはカバー部４Ａの周縁に沿って形成される段部７に密に嵌り込むようになっている。  
パネル６内面の両側部に、縦長孔状の枠部をなす上記第１の支持部１５と、掛止孔を備えた上記第２の回動部１６が上下に離間した位置に設けられる。上記第１の支持部１５を形成する縦長孔は、先に説明した第２の支持部１４の縦長孔と同様、上記ファン１とモータ２が軸方向に沿って連結されるのに対して、この軸方向とは直交する方向に長く形成される。
【００１４】
第１の支持部１５と第２の回動部１６相互の間隔は、上記本体４に設けられる第２の支持部１４と第１の回動部１３相互の間隔と同一に設定されている。しかも、支持ケース２６を本体４の切欠開口部２４に嵌め込み、本体４にパネル開閉機構５を介してパネル６を取付けた状態で、本体４側の第２の支持部１４とパネル６側の第１の支持部１５が互いに同一高さ位置にあって互いに対向し、本体４側の第１の回動部１３とパネル６側の第２の回動部１６とが互いに同一高さ位置にあって互いに対向する。  
このような本体４とパネル６に、上記第１のリンク部材１１および第２のリンク部材１２が取付けられる。すなわち、本体４から支持ケース２６を取出し、この支持ケース２６を構成する二つ折れの板部２６ａ，２６ｂを開放して、図３に示すように第１の回動部１３と第２の支持部１４を露出する。
【００１５】
上記第１の回動部１３に第１のリンク部材１１の掛止用孔部２０を掛合し、第２の支持部１４に第２のリンク部材１２の掛止用ピン２２を掛合する。このときは既に、第１のリンク部材１１と第２のリンク部材１２に設けられる小片部ｂの孔部に、引張りばね１７の端部が掛止されている。  
支持ケース２６に対する第１のリンク部材１１と第２のリンク部材１２の掛合を確認したら、支持ケース２６の板部２６ａ，２６ｂ相互を合わせる。第１のリンク部材１１および第２のリンク部材１２が、第１の回動部１３と第２の支持部１４から抜け出ることはなく、引張りばね１７とともに支持ケース２６内に収容される。
【００１６】
上述したように、支持ケース２６を構成する一対の板部２６ａ，２６ｂ相互は、ヒンジ構造側の端縁と、この端縁の上下端部に連設される端縁を除いて間隙を存しているので、支持ケース２６に収容される引張りばね１７の伸縮作用は何らの支障もない。支持ケース２６のヒンジ構造側と対向する側縁開口から、第１のリンク部材１１と第２のリンク部材１２が突出する。  
支持ケース２６を本体４の切欠開口部２４に嵌め込み、支持ケース２６から突出する第１、第２のリンク部材１１，１２の端部にパネル６の内面を対向する。パネル６の内面は前面カバー部４Ａに対向することとなり、第１、第２のリンク部材１１，１２先端にパネル６内面に設けられる第１の支持部１５と第２の回動部１６が対向する。
【００１７】
第１のリンク部材１１の掛止用ピン２１をパネル６の第１の支持部１５に掛合し、第２のリンク部材１２の掛止用ピン２３を第２の回動部１６に掛合する。このときも引張りばね１７の弾性力が第１、第２のリンク部材１１，１２に作用して、支持ケース２６から突出する各リンク部材１１，１２端部相互は互いに接近する方向に付勢され、端部相互距離が最大限短くなっている。各リンク部材１１，１２の掛止用ピン２１，２３を第１の支持部１５と第２の回動部１６に掛合する。  
このように、本体４の左右両側部にパネル開閉機構５の一端側を取付け、これらパネル開閉機構５の他端側にパネル６を取付けることにより、本体４に設けられる通気孔３をパネル６が開閉自在となる。通常は、引張りばね１７の弾性力が作用して、図１および図２に示すようにパネル６は本体４の前面カバー部４Ａ１から離間し、通気孔３が開放される。  
さらに、本体４とパネル６には、後述する第１の係止部である係止爪部３１と、第２の係止部である引掛け爪３２が設けられている。これら係止爪部３１と引掛け爪３２が係合している状態で引張りばね１７の弾性力を規制でき、離間位置にあるとき引張りばね１７の弾性力が作用する。
【００１８】
図４は換気装置一部を切欠して示す斜視図であり、図５は係止爪部３１と引掛け爪３２およびその近傍部位を拡大して示す斜視図である。  
上記第１の係止部である係止爪部３１は本体４に設けられている。すなわち、本体４の両側片部４Ａ２下端のコーナー部分近傍で、かつ前面カバー部４Ａ１に近接した位置に切欠部３３が設けられていて、ここから操作用押し釦３４が突出している。この操作用押し釦３４は、上記支持ケース２６が嵌め込まれる切欠開口部２４の直下位置に突出する上記係止爪部３１と一体に連設される。  
左右の係止爪部３１は前面カバー部４Ａ１に一体に設けられる爪部カバー３５に囲まれる。すなわち、上記爪部カバー３５は前面カバー部４Ａ１から前面側へ突出形成されていて、側端である側片部４Ａ２と並行な面のみが開口し、他の周面と前面が閉塞される矩形箱状のカバー体である。上記係止爪部３１は爪部カバー３５の開口面から進退自在に突出する。
【００１９】
係止爪部３１と操作用押し釦３４の連結体は、湾曲片部３６の一端に設けられ、この湾曲片部３６の他端は、爪部カバー３５の基端部ｄに支持される。なお説明すると、上記湾曲片部３６は爪部カバー３５の基端部ｄから後端側へ突出してから断面Ｕ字状に折り返し形成され、側片部４Ａ２の内面に密接する。  
上記湾曲片部３６が側片部４Ａ２内面に密接することと、操作用押し釦３４が側片部４Ａ２の切欠部３３から突出すること、および係止爪部３１が爪部カバー３５の開口面から突出することの全ては、湾曲片部３６の他端部が爪部カバー３５の基端部ｄに支持され、かつ断面Ｕ字状に曲成されて、湾曲片部３６に弾性力が作用するためである。
【００２０】
このことにより、操作用押し釦３４もしくは係止爪部３１を湾曲片部３６の弾性力に抗して内側へ押付け付勢すれば、湾曲片部３６は弾性変形して、操作用押し釦３４と係止爪部３１は一体になって内側へ移動する。  
特に図３のみに示すように、上記押し釦３４はたとえば円形状に設けられたうえに、薄膜ゴム材からなる押し釦カバー３７によって覆われていても良く、押付け操作し易いように形成されるとともに、美観の向上化が図られている。  
上記引掛け爪３２は、上記パネル６の掛合片部６ａで、かつ両側下端に一体に突設される。これら引掛け爪３２が設けられる位置は、上記本体４側の係止爪部３１と正しく対向する。したがって、パネル６を後述するようにカバー４Ａに密接することで、パネル６の引掛け爪３２は本体４の係止爪部３１と互いに係合する。
【００２１】
図１および図２に示すように、パネル６が本体４の前面カバー部４Ａ１から離間した状態で、換気装置のスイッチ（図示しない）をオンにする。モータ２に通電されてファン１が回転駆動される。本体４に設けられる通気孔３は開口されていて、パネル６と本体４との間から室内空気が吸込まれ、ファン１とモータ２を介して室外へ排出される。  
パネル開閉機構５を構成する係止爪部（第１の係止部）３１に対して引掛け爪（第２の係止部）３２が離間しているところから、引張りばね１７の弾性力が第１のリンク部材１１と第２のリンク部材１２に作用する。
【００２２】
すなわち、引張りばね１７の一端部と第１の回動部１３が同位置にあって、この端部が引張りばね１７の固定端となる。引張りばね１７の他端部と第２の支持部１４が同位置にあって、この端部が引張りばね１７の自由端となる。引張りばね１７は第２のリンク部材１２の掛止用ピン２２を第２の支持部１４の長孔下端に当接する位置まで弾性的に引張り付勢する。  
第１のリンク部材１１と第２のリンク部材１２の一端部相互は最大限近接し、第１の支持部１５の長孔下端に第１のリンク部材１１の掛止用ピン２１が当接する。第１のリンク部材１１と第２のリンク部材１２は、上端部相互と下端部相互が最も離間した状態にあって、横長のＸ字状に形成される。
【００２３】
したがって、これらリンク部材１１，１２を介して取付けられるパネル６は、本体４の前面カバー部４Ａ１から最も離間した位置にある。モータ２がファン１を回転駆動し、パネル６と本体４の前面カバー部４Ａ１との間隙から充分な量の室内空気が吸込まれて外部へ排出する換気作用が行われる。  
換気の必要がないときや悪天候で室外の風雨が侵入するようなときは、換気装置のスイッチをオフにしてモータ２への通電を遮断し、ファン１の回転を停止する。そして、通気孔３をパネル６で閉成する操作を行う。この通気孔３閉成の具体的な操作は、パネル６を前面カバー部４Ａ１に密着するように押し込めばよい。パネル６は本体４の取付け面とは垂直方向に移動付勢される。
【００２４】
パネル６への押圧操作により、引張りばね１７は弾性力に抗して伸張するよう付勢され、その結果、本体４とパネル６に設けられる第１のリンク部材１１と第２のリンク部材１２の端部相互が互いに離間する方向に移動変位する。同時に、第１の支持部１５に掛合する第１のリンク部材１１の掛止用ピン２１と、第２の支持部１４に掛合する第２のリンク部材１２の掛止用ピン２２が、それぞれの長孔下端位置から上昇して、上端に接近する。  
パネル６に対する押圧操作を継続していくと、パネル６が前面カバー部４Ａ１に近接する。パネル６が前面カバー部４Ａ１に接触する直前位置で、パネル６の両側部に設けられる引掛け用爪部３２が爪部カバー３５から突出する係止爪部３１に当接する。さらにパネル６への押圧操作を継続すると、係止爪部３１と一体の湾曲片部３６は弾性変形し、係止爪部３１は引掛け用爪部３２に押されて爪部カバー３５内に引っ込む。
【００２５】
パネル６が前面カバー部４Ａ１に完全に密着した状態で、パネル６の引掛け用爪部３２が本体４の係止爪部３１を乗り越える。湾曲片部３６に弾性力が復帰して係止爪部３１は元の位置に戻り、この係止爪部３１と前面カバー部４Ａ１との間に引掛け用爪部３２を挟持する。パネル６の周縁に沿って設けられる掛合片部６ａは前面カバー部４Ａ１の周縁に沿って設けられる段部７に掛合して密に嵌り込む。  
この状態でパネル６への押圧操作を停止し、パネル６から手を離しても、パネル６は本体４に密着して元の位置に戻ることはない。すなわち、係止爪部３１と引掛け爪３２との係合により、引張りばね１７の弾性力に抗してパネル６の通気孔３閉成位置を保持できる。第１のリンク部材１１と第２のリンク部材１２は、上端部相互と下端部相互が最も接近して縦長のＸ字状に形成される。
【００２６】
必要に応じて換気操作を再開する場合は、パネル６を前面カバー部４Ａ１から離間して通気孔３を開放する。そのためには、本体カバー４Ａの左右の側片部４Ａ２に取付けられる押し釦カバー３７を同時に押圧操作すればよい。  
上記押し釦カバー３７に覆われる操作用押し釦３４は押圧付勢され、この操作用押し釦３４に連設される湾曲片部３６が弾性変形して押し込まれる。そのため、操作用押し釦３４と一体の係止爪部３１が爪部カバー３５内に押し込まれてパネル６の引掛け爪３２から離間する。引掛け爪３２は自由状態となるので、上記引張りばね１７の弾性力が再び第１のリンク部材１１と第２のリンク部材１２を介してパネル６に作用する。
【００２７】
第１のリンク部材１１の掛止用ピン２１が第１の支持部１５を形成する縦長孔に沿って移動して下端に当接し、第２のリンク部材１２の掛止用ピン２２が第２の支持部１４を形成する縦長孔に沿って移動して下端に当接するまで、引張りばね１７は弾性的に第１、第２のリンク部材１１，１２を引張り付勢する。  
第１のリンク部材１１と第２のリンク部材１２は、上端部相互と下端部相互が最も離間して横長のＸ字状に形成されてゆき、上記パネル６は本体４の取付け面とは垂直方向に移動して、再び本体４の前面カバー部４Ａ１から最も離間した位置に変位する。このように通気孔３を開放してから、換気装置のスイッチをオンすることで、これらの間隙から充分な量の空気が吸込まれて排出される。
【００２８】
以上説明した換気装置によれば、本体４の取付け面とは垂直方向にパネル６が開閉するようパネル開閉機構５を備えていて、このパネル開閉機構５は第１のリンク部材１１と第２のリンク部材１２を互いに回動可能に交差して備えている。各リンク部材１１，１２は、一端部が本体４とパネル６に回動自在に支持され、他端部が本体４とパネル６に軸方向とは直交する方向に移動自在に支持される。  
したがって、本体４に対してパネル６が常に安定して平行に移動し傾くことがないので、パネル６は本体４の通気孔３を正確に、かつ確実に開閉できる。各リンク部材１１，１２を備えたパネル開閉機構５をコンパクトに構築でき、このパネル開閉機構５を備えた換気装置の小型化を図れる。
【００２９】
さらに、第１のリンク部材１１と第２のリンク部材１２とに亘って張設される引張りばね１７は、これらリンク部材１１，１２を介してパネル６を通気孔３から開放する方向に弾性力を付勢するよう構成される。  
パネル開閉機構５は常に通気孔３を開放する方向にパネル６を作用しているので、パネル６が何らかの外的影響を受けても、通気孔３の開放位置を確保する。換気作用中に通気孔３が自然的に閉成することはなく、信頼性の向上化を得られる。  
本体４に第１の係止部（係止爪部）３１を設け、パネル６に上記第１の係止部３１に係脱自在な第２の係止部（引掛け爪）３２を設けている。第１の係止部３１に第２の係止部３２を係合することにより、弾性部材（引張りばね）１７の弾性力に抗してパネル６の通気孔３閉成状態を保持できる。また、第１の係止部３１と第２の係止部３２との係合を解くことにより、弾性部材１７の弾性力が第１、第２のリンク部材１１，１２に作用してパネル６の通気孔３開放をなすようにした。  
したがって、第１の係止部３１に対する操作でパネル６の通気孔３開放が自動的に可能となり、操作性の向上化を得られる。  
第１の係止部３１と第２の係止部３２を、本体４とパネル６のコーナー部近傍に設けている。これら本体４およびパネル６のコーナー部は反り等の変形が最も発生し難い部位であり、パネル６は確実に通気孔３を閉成できて気密性のバラツキを抑制する。
【００３０】
換気装置の風量は、本体前面カバー部４Ａ１とパネル６との間隙量に応じて設定されていて、この量は第１、第２の支持部１５，１４である縦長孔の長さから設定できる。したがって、各支持部１５，１４の縦長孔の一部を埋める部材を追加すれば、縦長孔の長さを変えることができ、前面カバー部４Ａ１に対するパネル６の隙間量が変わって通風量を制限できる。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３１】
【図１】本発明の実施の形態に係る、換気装置の外観斜視図。
【図２】同実施の形態に係る、換気装置の本体とパネルの一部を切欠した斜視図。
【図３】同実施の形態に係る、パネル開閉機構を分解した斜視図。
【図４】同実施の形態に係る、換気装置の一部を切欠した斜視図。
【図５】同実施の形態に係る、第１の係止部と第２の係止部を説明するための斜視図。
【符号の説明】
【００３２】
２…モータ（駆動源）、１…ファン、３…通気孔、４…本体、５…パネル開閉機構、６…パネル、１１…第１のリンク部材、１２…第２のリンク部材、１３…第１の回動部、１５…第１の支持部、１４…第２の支持部、１６…第２の回動部、１７…引張りばね（弾性部材）、３１…係止爪部（第１の係止部）、３２…引掛け爪（第２の係止部）。 
【図１】
0004718265.tif 000002
【図２】
0004718265.tif 000003
【図３】
0004718265.tif 000004
【図４】
0004718265.tif 000005
【図５】
0004718265.tif 000006